(57)【要約】      （修正有）【課題】継ぎ手部において管体が回転しても管体を挟持する爪により損傷しない管継ぎ手を提供する。【解決手段】本体１、フェルール２、ロックリング３および押出部により構成する。フェルールは、内周面に溝２１および管体挟持部２２を有し、本体１の収納部１１内に配置され、本体１との間には、フェルールの回転を許容する空隙が設けられている。ロックリングは、複数の爪３１を有し、フェルールの溝内に回転可能に嵌合し、押出部は、管体を相通する開口及び管体外周に沿って延長された押出突起を有する。管体が外部からの力を受けて回転すると、ロックリングおよびフェルールも連動して回転するため、管体が爪により損傷されることはない。【選択図】図５
0003150142.tif 000002
【実用新案登録請求の範囲】
【請求項１】
内部に収納部を設けた本体と、
内周にロックリングを嵌合する溝及び管外周を挟持する挟持部を有し、前記本体の前記収納部内に配置されるフェルールと、
内外周に複数の爪を有し、前記フェルールの前記溝内に固定されない状態で嵌合されると共に前記爪により管外周を挟持するロックリングと、
管外周に嵌合され、前記本体の前記収納部内に挿入されて、
管外周に沿って押圧して移動されることにより前記管外周を挟持するロックリングの爪を管外周から押し開いて管外周から離す押出突起を有する押出部と、から構成されることを特徴とする管継ぎ手。
【請求項２】
前記フェルールは、前記本体との間にその回転を許容する空隙を設けていることを特徴とする請求項１に記載の管継ぎ手。
【請求項３】
前記押出部は、管体を挿通する開口を有することを特徴とする請求項１に記載の管継ぎ手。
【請求項４】
前記フェルールは、一方の端部にカバーリングを配置していることを特徴とする請求項１に記載の管継ぎ手。
【請求項５】
前記フェルールは、もう一方の端部にパッキンを配置していることを特徴とする請求項１に記載の管継ぎ手。
【考案の詳細な説明】
【技術分野】
【０００１】
本考案は、管継ぎ手に関し、特に、管体、該管体を挟持するロックリング及びフェルールがともに回転することにより、管体周囲が爪により損傷されるのを防ぎ、２段式回転を同時に行う管継ぎ手に関する。
【背景技術】
【０００２】
以下、特許文献１に開示された従来技術を図面に基づいて説明する。図１および図２を参照する。図１は、従来の管継ぎ手を示す分解斜視図である。図２は、従来の管継ぎ手を示す断面図である。図１および図２に示すように、本体８６は、内部にパッキン８５、止めリング８４およびロックリング８３を設けている。本体８６は、固定リング８２により固定されている。また、本体８６は、一方の端部に環垣８１１を有するカバーリング８１を螺着しており、水管９がカバーリング８１の環垣８１１から貫通されて本体８６に挿着される。水管９がロックリング８３の爪８３１上に嵌合されて水管９の位置決めが行われる。本体８６とカバーリング８１とは、相互に螺着しているため、カバーリング８１が回転すると、カバーリング８１と本体８６との螺着程度が調節される。カバーリング８１が下方の本体８６の方向に螺旋移動してカバーリング８１の環垣８１１がロックリング８３の爪８３１を押し込むと、水管９に嵌合する爪８３１の力が緩み、水管９が管継ぎ手から外れる。
【０００３】
上記の管継ぎ手は、水管９の着脱が可能であったが、図２に示すように、水管９がロックリング８３の爪８３１に嵌合され、ロックリング８３が固定リング８２の凸縁８２１と止めリング８４との間に挟まれるように固定されて動かないため、水管９が外部からの力により回転されると、水管９の９１周囲がロックリング８３の爪８３１により傷つけられ破損しやすかった。また、水管９が何度も着脱を繰り返されると、水管９がロックリング８３の爪８３１上に嵌合され、ロックリング８３が固定リング８２の凸縁８２１と止めリング８４との間に挟まれるように固定されているため、水管９の９１周囲が爪８３１に圧迫され、水管９の９１周囲は、ロックリング８３の爪８３１により傷つけられ破損しやすかった。そのため、水管９の寿命は、大幅に短縮され、管継ぎ手に緊密に結合することができなくなった。
【先行技術文献】
【特許文献】
【０００４】
【特許文献１】台湾特許第Ｍ３４５９１５号公報
【特許文献２】特表２００３−５２９０３２号公報
【特許文献１】特開２００３−３３７２５８号公報
【考案の概要】
【考案が解決しようとする課題】
【０００５】
本考案の目的は、管体がその挟持、固定する爪により傷つけられて破損するのを防ぐ管継ぎ手を提供することにある。
【０００６】
本考案は、上述の目的を達成する管継ぎ手を提供する。本考案の管継ぎ手は、本体、フェルール、ロックリング及び押出部を含む。本体は、内部に収納部を設けている。フェルールは、ロックリングの爪を嵌合する溝および管体挟持部を有し、本体の収納部内に設けられている。フェルールと本体との間には、本体に対してフェルールの回転を許容する隙間が設けられている。フェルールの一方の端部には、カバーリングが配置され、もう一方の端部には、パッキンが配置されている。ロックリングは、複数の爪を有し、フェルールの溝内に固定されない状態で嵌合されている。押出部は、開口および押出突起を有する。押出突起は、本体の収納部内に挿入される。
【考案の効果】
【０００７】
本考案の管継ぎ手は、以下の４つの長所を有する。管体周囲が爪により傷つけられて破損するのを防ぐことができる。管体がロックリングおよびフェルールを連動して回転させ、２段式回転が実現した。直径の規格の異なる管体を挟んで固定することができる。大幅に管体の寿命を延長させることができる。
【図面の簡単な説明】
【０００８】
【図１】従来の管継ぎ手を示す分解斜視図である。
【図２】従来の管継ぎ手を示す断面図である。
【図３】本考案の実施形態による管継ぎ手を示す分解斜視図である。
【図４】本考案の実施形態による管継ぎ手を示す斜視図である。
【図５】本考案の管継ぎ手と管体とが相互に挿着している動作を示す断面図である。
【図６】本考案の爪が管体を挟むように固定している動作を示す断面図である。
【図７】本考案のロックリングが管体とともに回転する動作を示す図である。
【図８】本考案の挟持部と爪とがそれぞれ管体を挟むように固定している動作を示す断面図である。
【図９】本考案のフェルールおよびロックリングが管体とともに回転する動作を示す図である。
【図１０】本考案の押出突起および爪の動作を示す断面図である。
【考案を実施するための形態】
【０００９】
以下、本考案の実施形態を図面に基づいて説明する。図３および図４を参照する。図３は、本考案の実施形態による管継ぎ手を示す分解斜視図である。図４は、本考案の実施形態による管継ぎ手を示す斜視図である。図３および図４に示すように、本考案の管継ぎ手は、本体１、フェルール２、ロックリング３および押出部４により構成する。
【００１０】
図５を参照する。図５は、本考案の管継ぎ手と管体とを相互に挿着する動作を示す断面図である。図５に示すように、本体１は、内部に収納部１１を設けている。フェルール２は、溝２１および挟持部２２を有し、本体１の収納部１１内に配置されている。フェルール２と本体１内側との間には、フェルールを本体に対して回転を許容する空隙２３が設けられている。フェルール２の一方の端部には、カバーリング５が配置され、もう一方の端部には、パッキン６が配置されている。ロックリング３は、複数の爪３１を有し、フェルール２の溝２１内に固定されずに設けられている。押出部４は、開口４１および押出突起４２を有する。押出突起４２は、本体１の収納部１１内に挿入される。
【００１１】
図３および図５を参照する。押出部４は、開口４１を設け、管体７を開口４１中に挿入させ、カバーリング５の方向に移動させる。管体７がカバーリング５の方向に移動して、管体７がロックリング３の爪３１に接触すると、爪３１が弾性によりフェルール２の方向に曲って（図６参照）、管体７を挟持して固定する。
【００１２】
図６および図７を参照する。図６は、本考案の爪が管体を挟持して固定している動作を示す断面図である。図７は、本考案のロックリングが管体とともに回転する動作を示す図である。図６および図７に示すように、爪３１が管体７を挟むように固定されているため、管体７が外部からの力を受けて回転すると、ロックリング３がフェルール２の溝２１内に固定されずに設けられていることにより、管体７とともに爪３１およびロックリング３が回転する。これにより、管体７が爪３１により損傷されるのを防ぐことができる。
【００１３】
図８を参照する。図８は、本考案の挟持部と爪とがそれぞれ管体を挟持して固定している動作を示す断面図である。図８に示すように、フェルール２が挟持部２２を設けていることにより、管体７がカバーリング５の方向に進むと、管体７の外径がフェルール２の挟持部２２より大きい場合、管体７は、フェルール２の挟持部２２により挟持、固定されるが、管体７の外径がフェルール２の挟持部２２より小さい場合は、管体７は、ロックリング３の爪３１により挟持されて固定される。このように、本考案の管継ぎ手は、異なる規格の管体７を挟持して固定することができ、管体７と管継ぎ手とを緊密に結合することができる。
【００１４】
図８および図９を参照する。図９は、本考案のフェルールおよびロックリングが管体とともに回転する動作を示す図である。図８および図９に示すように、管体７は、フェルール２の挟持部２２とロックリング３の爪３１とによりそれぞれ挟持、固定され、フェルール２と本体１との間には、空隙２３が設けられているため、管体７が外部からの力を受けて回転すると、ロックリング３およびフェルール２も連動して回転する。これにより、管体７が爪３１により損傷されるのを防ぎ、同時に２段式回転の実現により、管体７の損傷、摩耗を低減して寿命を大幅に向上させることができる。
【００１５】
図１０を参照する。図１０は、本考案の押出突起および爪の動作を示す断面図である。図１０に示すように、爪３１から管体７を外すときは、押出部４に押圧して押出部４をカバーリング５の方向に移動させる。押出部４の押出突起４２がロックリング３の爪３１を押し上げるとともに、爪３１の弾性により爪３１は、フェルール２の方向に曲がる。これにより、ロックリング３の爪３１の内径と管体７の外径との間に隙間４３ができ、管体７を簡単に抜き出すことができる。
【００１６】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で規定したとおりである。
【符号の説明】
【００１７】
１  本体
２  フェルール
３  ロックリング
４  押出部
５  カバーリング
６  パッキン
７  管体
１１  収納部
２１  溝
２２  挟持部
２３  空間
３１  爪
４１  開口
４２  押出突起
４３  隙間
【図１】
0003150142.tif 000003
【図２】
0003150142.tif 000004
【図３】
0003150142.tif 000005
【図４】
0003150142.tif 000006
【図５】
0003150142.tif 000007
【図６】
0003150142.tif 000008
【図７】
0003150142.tif 000009
【図８】
0003150142.tif 000010
【図９】
0003150142.tif 000011
【図１０】
0003150142.tif 000012